(57)【要約】【課題】  携帯電話機用卓上ホルダを卓上に任意の角度に立てて携帯電話機の充電を行う場合、電源コード側コネクタと電源コードの繋がり部分に多大な負担がかからないようにし、断線等の不具合いに起因して充電不具合を防止する。【解決手段】卓上に設置され、電源コード１２１が接続され、携帯電話機の充電を行う携帯電話機用卓上ホルダ１００の電源コネクタ構造において、前記携帯電話機用卓上ホルダの背面側に位置し前記携帯電話機用ホルダを卓上に任意の角度に立てるスタンド１２０と、前記電源コードが接続され、前記スタンドで前記携帯電話機用卓上ホルダを卓上に任意の角度に立てたとき、接続された前記電源コードの重みで回転する回転式電源コネクタ１２２とを備える。【選択図】図１
2006004771.tif 000002
【特許請求の範囲】
【請求項１】
卓上に設置され、電源コードが接続され、携帯電話機の充電を行う携帯電話機用卓上ホルダの電源コネクタ構造において、
前記携帯電話機用卓上ホルダの背面側に位置し前記携帯電話機用ホルダを卓上に任意の角度に立てるスタンドと、
前記電源コードが接続され、前記スタンドで前記携帯電話機用卓上ホルダを卓上に任意の角度に立てたとき、接続された前記電源コードの重みで回転する回転式電源コネクタとを備えることを特徴とする携帯電話機用卓上ホルダの電源コネクタ構造。
【請求項２】
前記回転式電源コネクタには、
前記電源コードに接続される電源コネクタと、
前記電源コネクタを収容するコネクタケースと、
前記コネクタケースの側面側に位置し、前記携帯電話機用卓上ホルダの軸受部に保持される２つの回転軸と、
２本のリード線にそれぞれ半田付けされ、前記電源コネクタから出る２つの電気接続部とを備え、
前記リード線をそれぞれ通過させるように前記回転軸を中空にし、前記コネクタケースの壁に開けた２つの孔部を設け連通にし、前記孔部のそれぞれから前記コネクタケースの外にリード線を引き出し前記携帯電話機に電源が供給されることを特徴とする、請求項１に記載の携帯電話機用卓上ホルダの電源コネクタ構造。
【請求項３】
前記携帯電話機用卓上ホルダの背面側に支持角度調節部が設けられ、前記支持角度調節部は複数の放射状の凹部を有し、前記スタンドを前記放射状の凹部の１つに設置し、前記携帯電話機用ホルダを卓上に任意の角度に立てることを特徴とする、請求項１に記載の携帯電話機用卓上ホルダの電源コネクタ構造。
【請求項４】
前記回転式電源コネクタは、立てた前記携帯電話機卓上ホルダの上部に設けられることを特徴とする、請求項１に記載の携帯電話機用卓上ホルダの電源コネクタ構造。
【請求項５】
前記携帯電話機卓上ホルダのケースが上ケース、下ケースからなる場合、前記上ケース、前記下ケースに半円形状の２つの軸受部をそれぞれ設け、前記電源コネクタの２つの回転軸を、前記上ケースの半円形状の２つの軸受部と前記下ケースの半円形状の２つの軸受部とで挟んで保持することを特徴とする、請求項２に記載の携帯電話機用卓上ホルダの電源コネクタ構造。
【請求項６】
２つの前記回転軸の一方を中空にし、中空にした前記回転軸側の前記コネクタケース側のみの壁に開けた１つの孔部を設け連通にし、前記孔部から前記コネクタケースの外に２本のリード線を引き出し前記携帯電話機に電源が供給されることを特徴とする、請求項２に記載の携帯電話機用卓上ホルダの電源コネクタ構造。
【発明の詳細な説明】
【技術分野】
【０００１】
本発明は、携帯電話機を取り付け、卓上（机上）等に設置し、充電を行う電源コネクタを有する携帯電話機用卓上ホルダに関する。特に、本発明は、電源コードを繋ぐ携帯電話機用卓上ホルダの電源コネクタ構造に関する。
【背景技術】
【０００２】
図８は本発明の前提となる携帯電話機用卓上ホルダを示す斜視図である。なお、全図を通して同一の構成要素には同一の番号、符号を付して説明を行う。
本図（ａ）に示すように、携帯電話機用卓上ホルダ１００の背面側が卓上に設置され、携帯電話機用卓上ホルダ１００の正面側に携帯電話機（図示しない）が取り付けられる。
携帯電話機用卓上ホルダ１００の上部に電源コード１２１が接続され、電源コード１２１は携帯電話機用卓上ホルダ１００の電力を供給するために使用され、電源コード側コネクタ１２１Ａ、コード１２１Ｂを有する。携帯電話機用卓上ホルダ１００と電源コード１２１は電源コード側コネクタ１２１Ａを介して固定され、電気的に接続される。
【０００３】
本図（ｂ）に示すように、携帯電話機用卓上ホルダ１００にはスタンド１２０が設けられ、スタンド１２０は、携帯電話機の正面が充電中に見やすいように、携帯電話機用卓上ホルダ１００を卓上に任意の角度に立てて携帯電話機の充電を行う場合に使用される。
この場合、電源コード１２１は、卓上から持ち上がり、携帯電話機用卓上ホルダ１００の上部から垂れ下がる。このため、電源コード１２１の電源コード側コネクタ１２１Ａ付近でコード１２１Ｂが曲がると共に電源コード側コネクタ１２１Ａとコード１２１Ｂの接続部分にコード１２１Ｂの重みがかかる。
【０００４】
このため、電源コード１２１と携帯電話機用卓上ホルダ１００が無理な状況で繋がることになり、電源コード側コネクタ１２１Ａと電源コード１２１の接続部分に多大な負担がかかってしまい、断線等の不具合いを引き起こしこれに起因して充電不具合を起こすという問題がある。
なお、携帯電話機用卓上ホルダ１００の下部に電源コード１２１が接続される場合には、スタンド１２０を任意の角度に立てると、電源コード１２１が邪魔になったり、さらに、電源コード１２１の電源コード側コネクタ１２１Ａ付近でコード１２１Ｂが曲がり、電源コード１２１が卓上を押さえつけることになることに起因して電源コード１２１と携帯電話機用卓上ホルダ１００が無理な状況で繋がることになり、電源コード側コネクタ１２１Ａと電源コード１２１の繋がり部分に多大な負担がかかってしまい、断線等の不具合いを引き起こしこれに起因して充電不具合を起こすという問題がある。
【０００５】
従来では、電話機の着脱を容易にするとともに接触端子の保護ができ、電話機や置台の傷付きや摩耗を防止することのできる携帯電話機用置台を提供するため、挿入された携帯電話機を押し上げるためのリフトと、リフトを常に上方へ押圧付勢するための第１のばねと、挿入された携帯電話機をロックおよびロック解除するためのロックレバーと、ロックレバーを回動付勢するための第２のばねとを備え、置台に挿入された電話機は、ロックレバーを押圧してロックピンを電話機のロック穴から外してロック解除することにより、リフトにより上方に押し上げられるため、電話機から手を離しても再固定されることなく置台から容易に取り外すことができ、電話機や置台の傷付きや摩耗を防止できるものがある（例えば、特許文献１参照）。
【０００６】
しかしながら、上記特許文献１では、携帯電話機用置台を提供することが開示されているが、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
また、従来では、置き台に置く連続的操作により携帯用電話器からコネクタを迅速に脱着させることができ、またコネクタの脱着機構を常時自動的に初期中立状態に設定することができるコネクタの脱着機構を提供するため、基台の一端部に枠体の一端部が枢支され、基台の他端部に装着レバー用突起及び離脱レバー用突起が形成され、枠体の一端部側に携帯機器の置き台が配設され、枠体の他端部側にコネクタの支持部が形成され、支持部下方に装着レバーと離脱レバーとの切り換え機構が配設され、支持部の下方移動により装着レバーがＧ方向に回動してコネクタを装着させ、また切り換え機構を作動させた状態での支持部の下方移動により、離脱レバーがＦ方向に回動してコネクタを離脱させるように構成されているコネクタの脱着機構がある（例えば、特許文献２参照）。
【０００７】
しかしながら、上記特許文献２では、携帯電話機の置き台のコネクタが開示されているが、前述と同様に、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
【０００８】
また、従来では、商用交流電源に常時接続しながらも消費電力がゼロの状態で待機することができ、ホルダー部とＡＣアダプタ部とが一体化された構成を有しながらも充電とデータ通信とを同時に支障なく行うことができる充電器を提供するため、少なくとも充電回路が内蔵され、充電回路を商用交流電源に接続するＡＣプラグを有するＡＣアダプタ部と、携帯電話機などの携帯型電子機器を保持するホルダー部とを備えており、ホルダー部は、携帯型電子機器を充電回路に接続する充電端子と、携帯型電子機器の装着を検出する検出手段と、携帯型電子機器の装着を検出した検出手段によってオンされる電源スイッチとを有しており、電源スイッチは、ＡＣプラグと充電回路との接続箇所をスイッチングするよう設けるものがある（例えば、特許文献３参照）。
【０００９】
しかしながら、上記特許文献３では、データと充電とを同時に行うことができる携帯電話機のホルダー部が開示されているが、前述と同様に、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
【００１０】
また、従来の小型のポートリプリケータでは、パソコンの表示部を開きすぎると、表示部の背面とポートリプリケータとがぶつかり、パソコンのヒンジ部を破損する危惧があるため、ポートリプリケータに載置したパソコンの表示部を所定角度以上に開くと、表示部の背面と解除レバーとが衝突し、衝突により解除レバーは時計方向に押され、フック部材がへこむとともに係合ボタンがパソコンの底面を蹴り上げ、ポートリプリケータとパソコンとの係合が解除され、ヒンジ部の破損を防ぐことができるものがある（例えば、特許文献４参照）。
【００１１】
しかしながら、上記特許文献４では、ノートパソコンと接続して使用するポートリプリケータが開示されているが、前述と同様に、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
【００１２】
また、従来の携帯電話機本体の充電装置本体では、充電装置本体の大型化を招くことなく、充電中のデータ通信を可能とすることはできなかったため、携帯電話機本体に取り付ける通信アダプタ用の充電側貫通孔と、スタンド部材とを設けた充電装置がある（例えば、特許文献５参照）。
しかしながら、上記特許文献５では、携帯電話機本体の充電装置本体にスタンド部材が設けられるが、前述と同様に、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
【００１３】
また、個人用電子装置を支持するための組立体はベースおよびホルダを含んでおり、ホルダは装置を保持するのに適しており、ホルダはベースにホルダが選択的にベースから取外されまた戻されるように取外し可能に連結され、同様に、ホルダはベースにホルダがベースに対して位置を変えられるように調節可能に連結され、装置はそれにより、ホルダに取付けられるとき、ベースに対して、それゆえ支持面に対して向きを変えられ、個人用電子装置を操作する方法は、装置をホルダに取付けること、装置およびホルダをベースに取付けること、ホルダがベースに取付けられている間、所望のように装置を位置決めするためホルダをベースに対して位置を変えること、および装置およびホルダをベースから取外すことを含んでいるものがある（例えば、特許文献６参照）。
【００１４】
しかしながら、上記特許文献６では、個人用電子装置を支持するためのホルダが開示されているが、前述と同様に、図８の本発明の前提となる携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することができない。
【００１５】
【特許文献１】特開平０７−１５４４６０号公報
【特許文献２】特開平０７−０８１４９２号公報
【特許文献３】特開２００１−３４６３３５号公報
【特許文献４】特開２００１−１２５６７０号公報
【特許文献５】特開平１１−３５５４０７号公報
【特許文献６】特表２００２−５３９７２１号公報
【発明の開示】
【発明が解決しようとする課題】
【００１６】
したがって、本発明は上記問題点に鑑みて、携帯電話機用卓上ホルダ１００を卓上に任意の角度に立てて携帯電話機の充電を行う場合、電源コード側コネクタ１２１Ａと電源コード１２１の繋がり部分に多大な負担がかからないようにし、断線等の不具合いに起因して充電不具合を防止する携帯電話機用卓上ホルダの電源コネクタ構造を提供することを目的とする。
【課題を解決するための手段】
【００１７】
本発明は前記問題点を解決するために、卓上に設置され、電源コードが接続され、携帯電話機の充電を行う携帯電話機用卓上ホルダの電源コネクタ構造において、前記携帯電話機用卓上ホルダの背面側に位置し前記携帯電話機用ホルダを卓上に任意の角度に立てるスタンドと、前記電源コードが接続され、前記スタンドで前記携帯電話機用卓上ホルダを卓上に任意の角度に立てたとき、接続された前記電源コードの重みで回転する回転式電源コネクタとを備えることを特徴とする携帯電話機用卓上ホルダの電源コネクタ構造を提供する。
【００１８】
さらに、前記回転式電源コネクタには、前記電源コードに接続される電源コネクタと、
前記電源コネクタを収容するコネクタケースと、前記コネクタケースの側面側に位置し、前記携帯電話機用卓上ホルダの軸受部に保持される２つの回転軸と、２本のリード線にそれぞれ半田付けされ、前記電源コネクタから出る２つの電気接続部とを備え、前記リード線をそれぞれ通過させるように前記回転軸を中空にし、前記コネクタケースの壁に開けた２つの孔部を設け連通にし、前記孔部のそれぞれから前記コネクタケースの外にリード線を引き出し前記携帯電話機に電源が供給される。
【００１９】
さらに、前記携帯電話機用卓上ホルダの背面側に支持角度調節部が設けられ、前記支持角度調節部は複数の放射状の凹部を有し、前記スタンドを前記放射状の凹部の１つに設置し、前記携帯電話機用ホルダを卓上に任意の角度に立てる。
さらに、前記回転式電源コネクタは、立てた前記携帯電話機卓上ホルダの上部に設けられる。
【００２０】
さらに、前記携帯電話機卓上ホルダのケースが上ケース、下ケースからなる場合、前記上ケース、前記下ケースに半円形状の２つの軸受部をそれぞれ設け、前記電源コネクタの２つの回転軸を、前記上ケースの半円形状の２つの軸受部と前記下ケースの半円形状の２つの軸受部とで挟んで保持する。
さらに、２つの前記回転軸の一方を中空にし、中空にした前記回転軸側の前記コネクタケース側のみの壁に開けた１つの孔部を設け連通にし、前記孔部から前記コネクタケースの外に２本のリード線を引き出し前記携帯電話機に電源が供給される。
【発明の効果】
【００２１】
以上説明したように、本発明によれば、携帯電話機用卓上ホルダを卓上に任意の角度に立てて携帯電話機の充電を行う場合、電源コードの重みで回転式電源コネクタが回転することにより、回転式電源コネクタと電源コードの繋がり部分に多大な負担がかからないようになり、断線等の不具合いに起因する充電不具合を防止することが可能になる。
さらに、携帯電話機用卓上ホルダに取り付けられる角度調節可能なスタンドと回転式電源コネクタを併用することにより、さらに自由な角度での携帯電話機用卓上ホルダの設置が可能になる。
【発明を実施するための最良の形態】
【００２２】
以下、本発明の実施の形態について図面を参照して説明する。
図１は本発明に係る携帯電話機用卓上ホルダ１００を示す概略斜視図である。本図に示すように、携帯電話機用卓上ホルダ１００は上ケース１０１、下ケース１１９からなり、携帯電話機用卓上ホルダ１００の正面側の上ケース１０１には携帯電話機（図示しない）が取り付けられ、携帯電話機用卓上ホルダ１００の背面側の下ケース１１９にはスタンド１２０、回転式電源コネクタ１２２が設けられ、回転式電源コネクタ１２２は回転可能な電源コネクタであり、回転式電源コネクタ１２２には電源コード１２１の電源コード側コネクタ１２１Ａが接続される。
【００２３】
ここで、携帯電話機が充電器を内蔵していない場合には、携帯電話機用卓上ホルダ１００の反対側の電源コード１２１には充電器が接続される。
なお、携帯電話機が充電器を内蔵している場合には、携帯電話機用卓上ホルダ１００の反対側の電源コード１２１には商用交流電源が接続される。
このように、回転式電源コネクタ１２２を回転可能にすることにより、電源コード１２１の電源コード側コネクタ１２１Ａ付近でコード１２１Ｂの曲がりがなくなる。
さらに、スタンド１２０は携帯電話機用卓上ホルダ１００を卓上に任意の角度（θ）に立てる。
【００２４】
図２は図１における携帯電話機用卓上ホルダ１００の背面側である下ケース１１９から見た回転式電源コネクタ１２２の配置を示す斜視図である。
本図に示すように、携帯電話機用卓上ホルダ１００の下ケース１１９の背面側にはその下部にスタンド１２０、その上部に回転式電源コネクタ１２２が設けられ、スタンド１２０は携帯電話機用卓上ホルダ１００を任意の角度に立て、回転式電源コネクタ１２２は矢印のように横方向を軸にして回転を行う。
【００２５】
なお、下ケース１１９には支持角度調節部１２０Ａが設けられ、支持角度調節部１２０Ａは、携帯電話機用卓上ホルダ１００を任意の角度に立てるスタンド１２０を支持すると同時に、携帯電話機用卓上ホルダ１００を任意の角度に立てる角度を調節する機能を有する。
図３は図２の回転式電源コネクタ１２２の構造を示す分解斜視図である。本図に示すように、回転式電源コネクタ１２２の外側にはコネクタ下ケース１１５、コネクタ上ケース１０６が設けられ、コネクタ上ケース１０６はコネクタ下ケース１１５の蓋としての機能を有し、コネクタ下ケース１１５内にはホルダ側電源コネクタ１１１が収容され、ホルダ側電源コネクタ１１１には２本のリード線１１４が接続され、リード線１１４は携帯電話機に電源を供給する。
【００２６】
さらに、コネクタ下ケース１１５の長手方向の両側面には中空の回転軸１１８が設けられ、回転軸１１８の中空と、回転軸１１８の中空に通じるコネクタ下ケース１１５の壁の貫通孔とで連通する孔１１７が形成され、孔１１７をリード線１１４が通過する。
このように、孔１１７をリード線１１４が通過するようにして、回転軸１１８を軸としてホルダ側電源コネクタ１１１の回転と共にリード線１１４が回転するので、リード線１１４の引き回しが容易になる。
【００２７】
なお、回転式電源コネクタ１２２のホルダ側電源コネクタ１１１には電源コード１２１の電源コード側コネクタ１２１Ａが接続される。
図４は図２における回転式電源コネクタ１２２の組み立て例を示す分解斜視図である。本図（ａ）に示すように、ホルダ側電源コネクタ１１１の両側面に孔１１２Ａを有する突起１１２がそれぞれ設けられる。
【００２８】
さらに、ホルダ側電源コネクタ１１１には２つの電気接続部１１３が設けられ、電気接続部１１３にはリード線１１４が半田付けによりそれぞれ接続される。
さらに、コネクタ下ケース１１５には２つの円筒部１１６が設けられ、円筒部１１６の位置はホルダ側電源コネクタ１１１の突起１１２の孔１１２Ａに対向する。
本図（ｂ）に示すように、孔１１７にリード線１１４を通した後に、孔１１２Ａに円筒部１１６がそれぞれ嵌合されて固定される。
【００２９】
図５は携帯電話機用卓上ホルダ１００の全体構造を示す分解斜視図である。本図に示すように、携帯電話機用卓上ホルダ１００の上ケース１０１の正面側には携帯電話機取付部１２５が設けられ、携帯電話機取付部１２５は凹部の形状をし、携帯電話機取付部１２５の凹部に携帯電話機が取り付けられる。
携帯電話機取付部１２５の上部には切欠部１２６が設けられ、携帯電話機取付部１２５の下部の内部には突起１０５が設けられる。
【００３０】
切欠部１２６にはスプリング１０２、フック１０３が上ケース１０１の裏面側から挿入され、上カバー１０４により内包される。内包を行う上カバー１０４は上ケース１０１に嵌合され、固定される。
スプリング１０２、フック１０３は携帯電話機を携帯電話機取付部１２５に固定する機能を有する。
【００３１】
携帯電話機取付部１２５の突起１０５には基板１０８が設置され、基板１０８には２つの孔１０９、孔１１０が設けられ、孔１０９には端子１０７がそれぞれ挿入され半田付けされ基板１０８に固定される。
基板１０８は、携帯電話機取付部１２５の突起１０５と孔１１０とを嵌合し、携帯電話機取付部１２５に固定される。
【００３２】
端子１０７は携帯電話機取付部１２５に取り付けられた携帯電話機に電源供給を行う機能を有する。
携帯電話機用卓上ホルダ１００の下ケース１１９の裏面側には２つの半円形状の軸受部１２３Ａが設けられ、同様に、上ケース１０１の裏面側には２つの半円形状の軸受部１２３Ｂ（図示しない）が設けられる。
【００３３】
図４に示すように組み立てられた回転式電源コネクタ１２２は上ケース１０１と下ケース１１９とで挟み込むことにより固定される。この場合、回転式電源コネクタ１２２のコネクタ下ケース１１５の回転軸１１８は下ケース１１９の軸受部１２３Ａ、上ケース１０１の軸受部１２３Ｂの間に設置され、挟んで保持される。
このようにして、回転式電源コネクタ１２２は回転軸１１８を軸として回転することが可能になる。すなわち、回転式電源コネクタ１２２のホルダ側電源コネクタ１１１に電源コード１２１の電源コード側コネクタ１２１Ａが接続されたとき、電源コード１２１のコード１２１Ｂの重みで、回転式電源コネクタ１２２が回転し、接続時にコード１２１Ｂの曲がりが生じなくなる。
【００３４】
回転式電源コネクタ１２２のホルダ側電源コネクタ１１１では電源コード１２１の電源コード側コネクタ１２１Ａの電気的な接続が行われ、電源コード１２１から携帯電話機用卓上ホルダ１００への電源供給がおこなわれる。
下ケース１１９の背面側にはスタンド１２０が設置される。
図６は図２のスタンド１２０の支持角度調節部１２０Ａの構造を説明する図である。本図（ａ）に示すように、下ケース１１９には２つの支持角度調節部１２０Ａが設けられ、支持角度調節部１２０Ａは卓上に立つスタンド１２０の角度（θ）を調節し、携帯電話機用卓上ホルダ１００が立つ角度を調節する。
【００３５】
本図（ｂ）に示すように、スタンド１２０の支持角度調節部１２０Ａには、複数の放射状の凹部１２０Ａ−１〜１２０Ａ−５が設けられる。
本図（ｃ）に示すように、支持角度調節部１２０Ａの任意の凹部にスタンド１２０が設置されることにより、スタンド１２０の角度が調節される。
このようにして、スタンド１２０の任意の角度に対して、回転式電源コネクタ１２２により、電源コード１２１のコード１２１Ｂの曲がりがなくなる。
【００３６】
したがって、携帯電話機用卓上ホルダ１００を卓上に任意の角度に立てて携帯電話機の充電を行う場合、電源コード側コネクタ１２１Ａと電源コード１２１の繋がり部分に多大な負担がかかってしまうという問題を解決することが可能になる。
さらに、上記作用効果にとどまらず、好みにより携帯電話機用卓上ホルダ１００の角度が任意に変えることが可能になり、携帯電話機用卓上ホルダ１００の設置の自由度が広がる。
【実施例１】
【００３７】
図７は図４の変形例であり、回転式電源コネクタ１２２の別の組み立て例を示す分解斜視図である。本図（ａ）に示すように、図４と比較して、コネクタ下ケース１１５の回転軸１１８に設けられる孔１１７を片方のみとする。すなわち、２つの回転軸１１８のうち一方を中空にし、他方を中実にし、中空にした側の回転軸１１８に対応するコネクタ下ケース１１５側のみの壁に孔を開けて孔１１７が形成される。
【００３８】
本図（ｂ）に示すように、２本のリード線１１４が１つの孔１１７に通される。このようにしても、前述と同様に、リード線１１４の引き回しの容易性を確保できる。
さらに、２つの孔１１７のうち１つの孔１１７を埋めることにより、回転軸１１８の強度が向上し、よりよい携帯電話機用卓上ホルダ１００となる。さらに、コネクタ下ケース１１５を作成する際の金型構造が容易となる。
【産業上の利用可能性】
【００３９】
以上の説明における携帯電話機用卓上ホルダ１００に取り付けられる携帯電話機は、ストレート型の携帯電話機、折畳型の携帯電話機のいずれにも利用可能である。
【図面の簡単な説明】
【００４０】
【図１】本発明に係る携帯電話機用卓上ホルダ１００を示す概略斜視図である。
【図２】図１における携帯電話機用卓上ホルダ１００の背面側である下ケース１１９から見た回転式電源コネクタ１２２の配置を示す斜視図である。
【図３】図２の回転式電源コネクタ１２２の構造を示す分解斜視図である。
【図４】図２における回転式電源コネクタ１２２の組み立て例を示す分解斜視図である。
【図５】携帯電話機用卓上ホルダ１００の全体構造を示す分解斜視図である。
【図６】本発明の前提となる携帯電話機用卓上ホルダを示す斜視図である。
【図７】図４の変形例であり、回転式電源コネクタ１２２の別の組み立て例を示す分解斜視図である。
【図８】本発明の前提となる携帯電話機用卓上ホルダを示す斜視図である。
【符号の説明】
【００４１】
１００…携帯電話機用卓上ホルダ
１０１…上ケース
１０２…スプリング
１０３…フック
１０４…上カバー
１０５…突起
１０６…コネクタ上ケース
１０７…端子
１０８…基板
１０９…孔
１１０…孔
１１１…ホルダ側電源コネクタ
１１２…突起
１１２Ａ…孔
１１３…電気接続部
１１４…リード線
１１５…コネクタ下ケース
１１６…円筒部
１１７…孔
１１８…回転軸
１１９…下ケース
１２０…スタンド
１２０Ａ…支持角度調節部
１２０Ａ−１〜１２０Ａ−５…凹部
１２１…電源コード
１２１Ａ…電源コード側コネクタ
１２１Ｂ…コード
１２３Ａ、１２３Ｂ…軸受部
１２５…携帯電話機取付部
１２６…切欠部
【図１】
2006004771.tif 000003
【図２】
2006004771.tif 000004
【図３】
2006004771.tif 000005
【図４】
2006004771.tif 000006
【図５】
2006004771.tif 000007
【図６】
2006004771.tif 000008
【図７】
2006004771.tif 000009
【図８】
2006004771.tif 000010